(57)【要約】【課題】同じデバイスプラットフォーム中、多重無線送受信機を協調するシステムおよび方法を提供する。【解決手段】本発明は、中央制御エンティティを有するワイヤレス装置を提供し、中央制御エンティティは、同じデバイスプラットフォーム内に共同設置される多重無線送受信機を協調して、共存干渉を軽減する。ワイヤレス装置は、ＬＴＥトランシーバ、ＷｉＦｉトランシーバ、ＢＴトランシーバまたはＧＮＳＳレシーバを含む。一例において、中央制御エンティティは、送受信機から、無線信号情報を受信し、制御情報を決定する。制御情報が用いられて、ＦＤＭソリューションをトリガーし、送受信機は、指定された周波数チャネルで操作して、共存干渉を軽減する。別の例において、中央制御エンティティは、送受信機からトラフィックおよびスケジューリング情報を受信して、制御情報を決定する。制御情報が用いられて、ＴＤＭソリューションをトリガーし、送受信機がスケジューリングされて、特定の時間分で、無線信号を送受信し、共存干渉を軽減する。さらに別の例において、電力制御ソリューションが用いられて、共存干渉を軽減する。【選択図】図４
2013535139.tif 000002
【特許請求の範囲】
【請求項１】
方法であって、
第一制御エンティティから第一無線信号情報を受信し、前記第一制御エンティティが第一ＬＴＥ無線送受信機に属する工程と、
第二制御エンティティから第二無線信号情報を受信し、前記第二制御エンティティが、前記第一ＬＴＥ無線送受信機と共同設置される第二送受信機に属する工程と、
前記第一および前記第二無線信号情報に基づいて、前記第一および前記第二制御エンティティに伝送される制御情報を決定し、少なくとも一部が前記制御情報に基づいて、前記第一および前記第二無線送受信機は、指定された周波数チャネル中で操作し、これにより、共存干渉を軽減する工程と、
を含むことを特徴とする方法。
【請求項２】
前記制御情報は指示を含んで、前記第一ＬＴＥ無線送受信機をトリガーし、ＬＴＥ基地局の共存干渉に起因して生じるダウンリンク受信問題を示すことを特徴とする請求項１に記載の方法。
【請求項３】
前記制御情報は指示を含んで、前記第一ＬＴＥ無線送受信機をトリガーし、ＬＴＥ基地局に、どの周波数チャネルが著しい共存干渉を受けるかを示すことを特徴とする請求項１に記載の方法。
【請求項４】
前記制御情報は指示を含んで、前記第一ＬＴＥ無線送受信機をトリガーし、指示をＬＴＥ基地局に伝送して、第一ＲＦキャリアから第二ＲＦキャリアにハンドオーバすることを特徴とする請求項１に記載の方法。
【請求項５】
前記第二送受信機はＷｉＦｉトランシーバで、前記制御情報は、前記第二ＷｉＦｉトランシーバに用いる新しいＷｉＦｉ周波数チャネルの指示または提案を含むことを特徴とする請求項１に記載の方法。
【請求項６】
前記第二送受信機はブルートゥース（ＢＴ）送受信機で、前記制御情報は、前記第二ＢＴトランシーバの周波数-ホッピング幅を調整する指示を含むことを特徴とする請求項１に記載の方法。
【請求項７】
前記第一および前記第二無線信号情報は、ＧＮＳＳ信号の少なくともひとつの共存干渉測定情報、伝送時間情報、受信された信号品質情報、伝送状態情報、ＬＴＥサービング周波数情報、ＷｉＦｉ周波数チャネル情報、ＢＴ周波数-ホッピング幅情報および中心周波数情報を含むことを特徴とする請求項１に記載の方法。
【請求項８】
前記制御情報は、前記第一ＬＴＥ無線送受信機に用いる最大電力制限レベルを含むことを特徴とする請求項１に記載の方法。
【請求項９】
無線通信装置であって、
第一ＬＴＥ無線送受信機に属する第一制御エンティティと、
共同設置された第二無線送受信機に属する共同設置された第二制御エンティティと、
前記第一および前記第二制御エンティティから、無線信号情報を受信し、前記第一および  前記第二制御エンティティに伝送される制御情報を決定して、少なくとも一部が前記制御情報に基づいて、前記第一および前記第二無線送受信機が、指定された周波数チャネルで操作し、これにより、共存干渉を軽減する中央制御エンティティと、
を含むことを特徴とする無線通信装置。
【請求項１０】
前記制御情報は指示を含んで、前記第一ＬＴＥ無線送受信機をトリガーし、ＬＴＥ基地局の共存干渉に起因して生じるダウンリンク受信問題を示すことを特徴とする請求項９に記載の無線通信装置。
【請求項１１】
前記制御情報は指示を含んで、前記第一ＬＴＥ無線送受信機をトリガーし、ＬＴＥ基地局に、どの周波数チャネルが著しい共存干渉を受けるかを示すことを特徴とする請求項９に記載の無線通信装置。
【請求項１２】
前記制御情報は指示を含んで、前記第一ＬＴＥ無線送受信機をトリガーし、指示をＬＴＥ基地局に伝送して、第一ＲＦキャリアから第二ＲＦキャリアにハンドオーバすることを特徴とする請求項９に記載の無線通信装置。
【請求項１３】
前記第二無線送受信機はＷｉＦｉトランシーバで、前記制御情報は、前記第二ＷｉＦｉトランシーバに用いる新しいＷｉＦｉ周波数チャネルの指示または提案を含むことを特徴とする請求項９に記載の無線通信装置。
【請求項１４】
前記第二無線送受信機はブルートゥース（ＢＴ）送受信機で、前記制御情報は、前記第二ＢＴトランシーバの周波数-ホッピング幅を調整する指示を含むことを特徴とする請求項９に記載の無線通信装置。
【請求項１５】
前記第一および前記第二無線信号情報は、ＧＮＳＳ信号の少なくともひとつの共存干渉測定情報、伝送時間情報、受信された信号品質情報、伝送状態情報、ＬＴＥサービング周波数情報、ＷｉＦｉ周波数チャネル情報、ＢＴ周波数-ホッピング幅情報および中心周波数情報を含むことを特徴とする請求項９に記載の無線通信装置。
【請求項１６】
前記制御情報は、前記第一ＬＴＥ無線送受信機に用いられる最大電力制限レベルを含むことを特徴とする請求項９に記載の無線通信装置。
【請求項１７】
方法であって、
第一制御エンティティから第一トラフィックおよびスケジューリング情報を受信し、前記第一制御エンティティが第一ＬＴＥ無線送受信機に属する工程と、
第二制御エンティティから、第二システムトラフィックおよびスケジューリング情報を受信し、前記第二制御エンティティが、前記第一ＬＴＥ無線送受信機と共同設置される第二無線送受信機に属する工程と、
前記第一および前記第二トラフィックおよびスケジューリング情報に基づいて、前記第一および前記第二制御エンティティに伝送される制御情報を決定し、少なくとも一部が前記制御情報に基づいて、前記第一および前記第二無線送受信機は、特定の時間分で、スケジューリングされて、無線信号を送受信し、これにより、共存干渉を軽減する工程と、
を含むことを特徴とする方法。
【請求項１８】
前記制御情報は指示を含んで、前記第一ＬＴＥ無線送受信機をトリガーし、ＬＴＥ基地局の共存干渉に起因して生じるダウンリンク受信問題を示すことを特徴とする請求項１７に記載の方法。
【請求項１９】
前記制御情報は指示を含んで、前記第一ＬＴＥ無線送受信機をトリガーし、ＯＮ／ＯＦＦ期間またはＯＮ／ＯＦＦ比またはＯＮ／ＯＦＦデューティサイクルまたはＤＲＸ操作の開始時間の提案を、ＬＴＥ基地局に伝送することを特徴とする請求項１７に記載の方法。
【請求項２０】
前記制御情報は、特定の時間分で、前記第一ＬＴＥ無線送受信機伝送または受信を終了またはレジュームする指示を含むことを特徴とする請求項１７に記載の方法。
【請求項２１】
前記第二無線送受信機はＷｉＦｉトランシーバで、前記制御情報は、前記第二ＷｉＦｉトランシーバの特定の時間分で、ＷｉＦｉ伝送または受信を終了またはレジュームする指示を含むことを特徴とする請求項１７に記載の方法。
【請求項２２】
前記第二無線送受信機はＷｉＦｉトランシーバで、前記制御情報は、外部ＷｉＦｉＡＰと通信して、電力サービングプロトコルに基づいて、伝送時間を協議する指示を含むことを特徴とする請求項１７に記載の方法。
【請求項２３】
前記第二無線送受信機はブルートゥース（ＢＴ）送受信機で、前記制御情報は、前記第二ＢＴトランシーバの特定の時間分で、ＢＴ伝送または受信を終了またはレジュームする指示を含むことを特徴とする請求項１７に記載の方法。
【請求項２４】
前記第二無線送受信機は、ブルートゥース（ＢＴ）送受信機で、前記制御情報は、遠隔ＢＴ端末と通信して、前記第二ＢＴトランシーバの特定ＢＴ時間スロットで、前記伝送または受信を協議する指示を含むことを特徴とする請求項１７に記載の方法。
【請求項２５】
前記第一および前記第二トラフィックおよびスケジューリング情報は、少なくともひとつの共存干渉測定情報、伝送時間情報、伝送状態情報、操作モード情報、優先要求情報、受信された信号品質情報、トラフィックパターン情報、ＷｉＦｉビーコン受信時間情報、ＬＴＥ ＤＲＸ配置情報、ＢＴマスター／スレーブ情報およびＧＮＳＳレシーバタイプ情報を含むことを特徴とする請求項１７に記載の方法。
【請求項２６】
無線通信装置であって、
第一ＬＴＥ無線送受信機に属する第一制御エンティティと、
共同設置される第二無線送受信機に属する共同設置される第二制御エンティティと、
前記第一および前記第二制御エンティティから、トラフィックおよびスケジューリング情報を受信し、前記第一および前記第二制御エンティティに伝送される制御情報を決定し、前記第一および前記第二無線送受信機がスケジューリングされて、少なくとも一部が前記制御情報に基づいて、特定の時間分で、無線信号を送受信し、これにより、共存干渉を軽減する中央制御エンティティと、
を含むことを特徴とする無線通信装置。
【請求項２７】
前記制御情報は指示を含んで、前記第一ＬＴＥ無線送受信機をトリガーし、ＬＴＥ基地局の共存干渉に起因して生じるダウンリンク受信問題を示すことを特徴とする請求項２６に記載の無線通信装置。
【請求項２８】
前記制御情報は指示を含んで、前記第一ＬＴＥ無線送受信機をトリガーし、ＯＮ／ＯＦＦ期間またはＯＮ／ＯＦＦ比またはＯＮ／ＯＦＦデューティサイクルまたはＤＲＸ操作の開始時間の提案をＬＴＥ基地局に伝送することを特徴とする請求項２６に記載の無線通信装置。
【請求項２９】
前記制御情報は、特定の時間分で、前記第一ＬＴＥ無線送受信機伝送または受信を終了またはレジュームする指示を含むことを特徴とする請求項２６に記載の無線通信装置。
【請求項３０】
前記第二無線送受信機はＷｉＦｉトランシーバで、前記制御情報は、前記第二ＷｉＦｉトランシーバの特定の時間分で、ＷｉＦｉ伝送または受信を終了またはレジュームする指示を含むことを特徴とする請求項２６に記載の無線通信装置。
【請求項３１】
前記第二無線送受信機はＷｉＦｉトランシーバで、前記制御情報は、外部ＷｉＦｉＡＰと通信して、電力サービングプロトコルに基づいて、伝送時間を協議する指示を含むことを特徴とする請求項２６に記載の無線通信装置。
【請求項３２】
前記第二無線送受信機はブルートゥース（ＢＴ）送受信機で、前記制御情報は、前記第二ＢＴトランシーバの特定の時間分で、ＢＴ伝送または受信を終了またはレジュームする指示を含むことを特徴とする請求項２７に記載の無線通信装置。
【請求項３３】
前記第二無線送受信機はブルートゥース（ＢＴ）送受信機で、前記制御情報は、遠隔ＢＴ端末と通信して、前記第二ＢＴトランシーバの特定のＢＴ時間スロットで、伝送または受信を協議する指示を含むことを特徴とする請求項２７に記載の無線通信装置。
【請求項３４】
前記第一および前記第二トラフィックおよびスケジューリング情報は、少なくともひとつの共存干渉測定情報、伝送時間情報、伝送状態情報、操作モード情報、優先要求情報、受信された信号品質情報、トラフィックパターン情報、ＷｉＦｉビーコン受信時間情報、ＬＴＥ ＤＲＸ配置情報、ＢＴマスター／スレーブ情報およびＧＮＳＳレシーバタイプ情報を含むことを特徴とする請求項２７に記載の無線通信装置。
【発明の詳細な説明】
【技術分野】
【０００１】
この出願は、２０１０年６月１８日に出願された「Method to Mitigate the Interference between LTE and other Communication System Co-located on the Same Device Platform」と題された米国特許仮出願番号６１／３５６０８８号と、２０１０年８月１２日に出願された「Method to Trigger In-Device Coexistence Interference Mitigation in Mobile Cellular Systems」と題された米国特許仮出願番号６１／３７３１４２号から、合衆国法典第３５編第１１９条の下、優先権を主張するものであり、その内容は引用によって本願に援用される。
【０００２】
本発明は、無線ネットワーク通信に関するものであって、特に、ロングタームエボリューション(ＬＴＥ)送受信機、ＷｉＦｉトランシーバ（送受信機）、ＢＴトランシーバまたはＧＮＳＳレシーバを含むマルチ無線端末(ＭＲＴ)に関するものである。
【背景技術】
【０００３】
今日、ユビキタスネットワークアクセスがほぼ実現している。ネットワークインフラの観点から、異なる層(たとえば、分布層(distribution layer)、セルラー層、ホットスポット層、パーソナルネットワーク層、および、固定／有線層)に属する異なるネットワークは、異なるレベルの被覆(coverage)および接続性をユーザーに提供する。特定のネットワークの被覆範囲はどこででも入手できるものではなく、また、異なるネットワークは異なるサービスのために最適化されるので、ユーザー装置は、同じデバイスプラットフォーム上で、多重無線アクセスネットワークをサポートすることが望まれる。無線通信の需要が増加し続けるにつれて、無線通信装置、たとえば、携帯電話、ＰＤＡ、スマートハンドヘルド装置、ラップトップコンピュータ、タブレット型コンピュータ等は、次第に、多重無線送受信機を備えるようになった。多重無線端末(ＭＲＴ)は、同時に、ロングタームエボリューション(ＬＴＥ)またはＬＴＥ-アドバンスド(ＬＴＥ-Ａ)無線、無線ＬＡＮ(ＷＬＡＮ、たとえば、ＷｉＦｉ)アクセス無線、ブルートゥース（ＢＴ）無線、および、全地球的航法衛星システム(ＧＮＳＳ)無線を含む。
【０００４】
乏しい電波スペクトルリソースのため、異なる技術は、重複または隣接する電波スペクトルで操作する。たとえば、ＬＴＥ／ＬＴＥ-Ａ ＴＤＤモードは、通常、２．３-２．４ＧＨｚで操作し、ＷｉＦｉは、通常、２．４００-２．４８３．５ＧＨｚで操作し、ＢＴは、通常、２．４０２-２．４８０ＧＨｚで操作する。同じ物理的装置上に共同設置された多重無線の同時処理により、重複または隣接する電波スペクトルのため、それらの間に著しい共存干渉(coexistence interference)を含む重大な品質低下を生じる。物理的近接および無線電力漏れのため、第一無線送受信機のデータ伝送と第二無線送受信機のデータの受信が、時間ドメインで重複する時、第二無線送受信機受信は、第一無線送受信機伝送からの干渉により影響される。同様に、第二無線送受信機のデータ伝送は、第一無線送受信機のデータ受信の干渉を受ける。
【０００５】
図１（従来の技術）は、ＬＴＥトランシーバおよび共同設置されたＷｉＦｉ／ＢＴトランシーバおよびＧＮＳＳレシーバ間の干渉を示す図である。図１の例において、ユーザー装置（ＵＥ）１０は、ＬＴＥトランシーバ１１、ＧＮＳＳレシーバ１２、および、同じデバイスプラットフォーム上に共同設置されたＢＴ／ＷｉＦｉトランシーバ１３を含むＭＲＴである。ＬＴＥトランシーバ１１は、ＬＴＥベースバンドモジュール、および、アンテナ #1に結合されるＬＴＥ ＲＦモジュールを含む。ＧＮＳＳレシーバ１２は、ＧＮＳＳベースバンドモジュール、および、アンテナ #2に結合されるＧＮＳＳ ＲＦモジュールを含む。ＢＴ／ＷｉＦｉトランシーバ１３は、ＢＴ／ＷｉＦｉベースバンドモジュール、および、アンテナ #3に結合されるＢＴ／ＷｉＦｉ ＲＦモジュールを含む。ＬＴＥトランシーバ１１が無線信号を伝送する時、ＧＮＳＳレシーバ１２とＢＴ／ＷｉＦｉトランシーバ１３はＬＴＥから共存干渉を受ける。同様に、ＢＴ／ＷｉＦｉトランシーバ１３が無線信号を伝送する時、ＧＮＳＳレシーバ１２とＬＴＥトランシーバ１１は、ＢＴ／ＷｉＦｉから共存干渉を受ける。どのようにして、ＵＥ１０は、異なる送受信機により、同時に、複数のネットワークと通信し、共存干渉を回避／減少させるかが課題である。
【０００６】
図２（従来の技術）は、２個の共同設置されたＲＦ送受信機からの無線信号の信号電力を示す図である。図２の例において、送受信機Ａおよび送受信機Ｂは、同じデバイスプラットフォーム（即ち、装置内）に共同設置される。周波数ドメイン中の送受信機Ａ(たとえば、ＩＳＭＣＨ１中のＷｉＦｉ ＴＸ)による伝送(ＴＸ)信号は、送受信機Ｂの受信(ＲＸ)信号(たとえば、バンド４０中のＬＴＥ ＲＸ)に非常に接近する。送受信機Ａによる帯域外の(ＯＯＢ)発射(emission)およびスプリアス発射は、不完全なＴＸフィルターおよびＲＦ設計による送受信機Ｂに受け入れられない。たとえば、送受信機ＡによるＴＸ信号電力レベルは、フィルタリング後(たとえば、５０ｄＢ圧縮)でも、送受信機ＢのＲＸ信号電力レベルより高い(たとえば、フィルタリング前６０ｄＢ)。
【０００７】
不完全なＴＸフィルターおよびＲＦ設計のほか、不完全なＲＸフィルターおよびＲＦ設計は、受け入れられない装置内共存干渉を生じる。たとえば、あるＲＦ素子は、別の装置内送受信機からの伝送電力のために飽和するが、完全にフィルタリングすることができず、これは、低雑音増幅器(ＬＮＡ)飽和になり、アナログデジタルコンバータ(ＡＤＣ)が正常に機能しなくなる。このような問題は、ＴＸチャネルおよびＲＸチャネル間の周波数分離がどれくらいかに関わらず実際に存在する。これは、ＴＸ電力(たとえば、調波ＴＸ信号から)のあるレベルがＲＸ ＲＦ前端に結合されて、そのＬＮＡを飽和するからである。各種装置内の共存干渉軽減ソリューションが求められる。
【発明の概要】
【発明が解決しようとする課題】
【０００８】
中央制御エンティティを有するワイヤレス装置は、同じデバイスプラットフォーム中に共同設置される多重無線送受信機を協調して、共存干渉を軽減する。ワイヤレス装置は、中央制御エンティティ、ＬＴＥトランシーバ、ＷｉＦｉ／ＢＴトランシーバおよびＧＮＳＳレシーバを含む。
【課題を解決するための手段】
【０００９】
一例において、中央制御エンティティは、送受信機から、無線信号情報を受信して、制御情報を決定する。制御情報が用いられて、周波数分割多重化(ＦＤＭ)ソリューションをトリガーし、伝送／受信信号が指定された周波数チャネルに移動して、共存干渉を軽減する。信号情報は、ＧＮＳＳ信号の共存干渉測定情報、受信された信号品質情報、伝送状態、ＬＴＥサービング周波数情報、ＷｉＦｉ周波数チャネル情報、ＢＴ周波数-ホッピング幅情報および中心周波数情報を含む。ＦＤＭソリューションの制御情報は、ＬＴＥトランシーバをトリガーし、ＬＴＥ基地局に、どの周波数チャネルが共存干渉により影響されるかを示す指示、ＬＴＥトランシーバをトリガーして、指示をＬＴＥ基地局に伝送し、第一ＲＦキャリア(たとえば、ハンドオーバ、ＲＬＦ)から第二ＲＦキャリアに切り換える指示、ＷｉＦｉトランシーバの新しいＷｉＦｉチャネルに切り換えるまたは用いる指示または提案、および、ＢＴトランシーバの周波数ホッピング幅を調整する指示を含む。
【００１０】
別の例において、中央制御エンティティは、送受信機から、トラフィックおよびスケジューリング情報を受信し、制御情報を決定する。制御情報が用いられて、時分割多重化(ＴＤＭ)ソリューションをトリガーし、送受信機がスケジューリングされて、特定の時間分で、無線信号を送受信して、共存干渉を軽減する。トラフィックおよびスケジューリング情報は、伝送状態、操作モード、優先要求、受信された信号品質または強度、トラフィックパターン情報、ＷｉＦｉビーコン受信時間情報、ＬＴＥ ＤＲＸ配置、ＢＴマスター／スレーブおよびＧＮＳＳレシーバタイプを含む。ＴＤＭソリューションの制御情報は、ＬＴＥトランシーバをトリガーし、ＯＮ／ＯＦＦ期間、ＯＮ／ＯＦＦ比、開始時間、または、ＤＲＸ配置のデューティサイクルの提案をＬＴＥ基地局に伝送する指示、特定の時間分で、ＬＴＥ／ＷｉＦｉ／ＢＴトランシーバＴＲまたはＲＸを消去またはレジュームする指示、ＷｉＦｉトランシーバが、電力サービングプロトコルを用いることにより、ＷｉＦｉアクセスポイント(ＡＰ)と協議することにより、伝送／受信時間を制御する指示を含む。
【００１１】
さらに別の例において、電力制御ソリューションが用いられて、共存干渉を軽減する。ＬＴＥ電力制御に対し、中央制御エンティティは、ＷｉＦｉ／ＢＴ／ＧＮＳＳレシーバの受信された信号品質に基づいて、ＬＴＥトランシーバの最大電力制限レベルを決定する。最大電力制限レベルが、ＬＴＥトランシーバによりＬＴＥ基地局に推薦される。ＷｉＦｉ／ＢＴ電力制御に対し、ＬＴＥ信号の受信された信号品質が悪い場合、中央制御エンティティは、ＷｉＦｉ／ＢＴトランシーバに、伝送電力レベルを調整するように指示する。
【００１２】
他の実施の形態及び利点が以下の詳細な説明に述べられる。この概要は、本発明を定めるものではない。本発明は、請求項によって定められる。
【図面の簡単な説明】
【００１３】
添付の図面は、本発明の実施の形態を説明しており、同様の番号は同様の構成要素を示している。
【図１】(従来の技術)ＬＴＥトランシーバおよび共同設置されたＷｉＦｉ／ＢＴトランシーバおよびＧＮＳＳレシーバ間の干渉を示す図である。
【図２】(従来の技術)同じデバイスプラットフォーム中の２個の共同設置ＲＦ送受信機からの無線信号の信号電力を示す図である。
【図３】一新規態様による無線通信システム中の多重無線送受信機を有するユーザー装置を示す図である。
【図４】中央制御エンティティを有するＬＴＥユーザー装置の第一具体例を示す図である。
【図５】中央制御エンティティを有するＬＴＥユーザー装置の第二具体例を示す図である。
【図６】さらに詳細な２．４ＧＨｚ ＩＳＭバンド周辺のグローバルスペクトル配分である。
【図７】３ＧＰＰ装置内共存干渉回避のＦＤＭソリューションの第一例を示す図である。
【図８】３ＧＰＰ装置内共存干渉回避のＦＤＭソリューションの第二例を示す図である。
【図９】３ＧＰＰ装置内共存干渉回避のＴＤＭソリューションの例を示す図である。
【図１０】３ＧＰＰ装置内共存干渉回避の電力制御ソリューションの第一例を示す図である。
【図１１】３ＧＰＰ装置内共存干渉回避の電力制御ソリューションの第二例を示す図である。
【図１２】一新規態様による中央制御エンティティを用いた装置内共存干渉回避の詳細な工程を示す図である。
【図１３】ＦＤＭソリューションを用いた共存干渉回避方法のフローチャートである。
【図１４】ＴＤＭソリューションを用いた共存干渉回避方法のフローチャートである。
【発明を実施するための形態】
【００１４】
本発明の実施態様について詳細に述べる。その例は添付図面に示されている。
【００１５】
図３は、一新規態様による無線通信システム３０中の多重無線送受信機を有するユーザー装置ＵＥ３１を示す図である。無線通信システム３０は、ユーザー装置ＵＥ３１、サービング基地局(たとえば、evolved node-B)ｅＮＢ３２、ＷｉＦｉアクセスポイントＷｉＦｉＡＰ３３、ブルートゥース装置ＢＴ３４、および、全地球測位システム衛星装置ＧＰＳ３５を含む。無線通信システム３０は、異なる無線アクセス技術により、ＵＥ３１に各種ネットワークアクセスサービスを提供する。たとえば、ｅＮＢ３２は、セル無線ネットワーク(たとえば、３ＧＰＰロングタームエボリューション(ＬＴＥ)またはＬＴＥ-アドバンスド(ＬＴＥ-Ａ)システム)アクセスを提供し、ＷｉＦｉ ＡＰ３３は無線ＬＡＮ(ＷＬＡＮ)アクセス中のローカル被覆範囲を提供し、ＢＴ３４は短距離個人ネットワーク通信を提供し、ＧＰＳ３５は、グローバルアクセスを提供して、全地球的航法衛星システム(ＧＮＳＳ)の一部分とする。各種無線アクセス技術を更に促進するため、ＵＥ３１は、同じデバイスプラットフォーム(即ち、装置内)に共同設置される多重無線を備えたマルチ無線端末(ＭＲＴ)である。
【００１６】
乏しい電波スペクトルリソースのため、異なる無線アクセス技術は、重複または隣接する電波スペクトルで操作する。図３に示されるように、ＵＥ３１は、無線信号３６とｅＮＢ３２、無線信号３７とＷｉＦｉＡＰ３３、無線信号３８とＢＴ３４を通信させ、ＧＰＳ３５から無線信号３９を受信する。無線信号３６は３ＧＰＰバンド４０に属し、無線信号３７はＷｉＦｉチャネルのひとつに属し、無線信号３８は７９個のブルートゥースチャネルのひとつに属する。全無線信号の周波数は、２．３ＧＨｚから２．３ＧＨｚの範囲にあり、互いの間に顕著な共存干渉を生じる。一新規態様中、ＵＥ３１は中央制御エンティティを含み、同じデバイスプラットフォームで、異なる無線送受信機を協調して、共存干渉を軽減する。
【００１７】
図４は、中央制御エンティティを有する無線通信装置４１の第一具体例を示す図である。無線通信装置４１は、メモリ４２、中央制御エンティティ４４を有するプロセッサ４３、ＬＴＥ／ＬＴＥ-Ａ送受信機４５、ＧＰＳレシーバ４６、ＷｉＦｉトランシーバ４７、ブルートゥース送受信機４８およびバス４９を含む。図４の例において、中央制御エンティティ４４は、プロセッサ４３で物理的に実施される物理エンティティで、装置４１の装置応用処理に用いられる。中央制御エンティティ４４は、装置４１中の各種送受信機に接続され、バス４９により、各種送受信機と通信する。たとえば、ＷｉＦｉトランシーバ４７は、ＷｉＦｉ信号情報および／またはＷｉＦｉトラフィックおよびスケジューリング情報を中央制御エンティティ４４に伝送する(たとえば、荒い点線１０１に示される)。受信されたＷｉＦｉ情報に基づいて、中央制御エンティティ４４は制御情報を決定し、制御情報をＬＴＥ／ＬＴＥ-Ａ送受信機４５に伝送する(たとえば、荒い点線１０２に示される)。一例において、ＬＴＥトランシーバ４５は、さらに、受信された制御情報に基づいて、そのサービング基地局ｅＮＢ４０と通信し、共存干渉を軽減する(たとえば、荒い点線１０３に示される)。
【００１８】
図５は、中央制御エンティティを有するワイヤレス装置５１の第二具体例を示す図である。無線通信装置５１は、メモリ５２、プロセッサ５３、中央制御エンティティ５５を有するＬＴＥ／ＬＴＥ-Ａ送受信機５４、ＧＰＳレシーバ５６、ＷｉＦｉトランシーバ５７、ブルートゥース送受信機５８およびバス５９を含む。各送受信機は、ローカル制御エンティティ(たとえば、ＭＡＣプロセッサ)、無線周波数(ＲＦ)モジュールおよびベースバンド(ＢＢ)モジュールを含む。図５の例において、中央制御エンティティ５５は、プロセッサ内で物理的に実施される物理エンティティで、ＬＴＥ／ＬＴＥ-Ａ送受信機５４内に物理的に位置する。また、中央制御エンティティ５５は、物理的に、ＷｉＦｉトランシーバまたはブルートゥース送受信機内に位置する。中央制御エンティティ５５は、装置４１に共同設置される各種無線送受信機に結合され、バス４９により、各種ローカル制御エンティティと通信する。たとえば、ＷｉＦｉトランシーバ５７内のＷｉＦｉ制御エンティティは、ＷｉＦｉ情報を中央制御エンティティ５５に伝送する(たとえば、荒い点線１０４に示される)。受信されたＷｉＦｉ情報に基づいて、中央制御エンティティ５５は、制御情報を決定して、前記制御情報をＬＴＥ／ＬＴＥ-Ａ送受信機５４内のＬＴＥ制御エンティティに伝送する(たとえば、荒い点線１０５に示される)。一例において、ＬＴＥ／ＬＴＥ-Ａ送受信機５４は、さらに、受信された制御情報に基づいて、そのサービング基地局と通信し、共存干渉を軽減する(たとえば、荒い点線１０６に示される)。
【００１９】
どのように効果的に共存干渉を軽減するかが、重複または隣接する周波数チャネルで操作する共同設置された無線送受信機に対する課題である。この問題は、２．４ＧＨｚＩＳＭ(The Industrial, Scientific and Medical)無線周波数バンド周辺で更にひどい。図６は、更に詳細な２．４ＧＨｚＩＳＭバンド周辺のグローバルスペクトル配分、および、３ＧＰＰバンド４０中、ＷｉＦｉからＬＴＥに影響する対応する共存干渉を示す図である。図６の上の表６１に示されるように、２．４ＧＨｚ ＩＳＭバンド(たとえば、2400-2483.5MHz)は、第１４のＷｉＦｉチャネルと７９のブルートゥースチャネル両方により用いられる。ＷｉＦｉチャネル使用はＷｉＦｉ ＡＰ決定に基づき、ブルートゥースはＩＳＭバンドで、周波数ホッピングを用いる。混雑したＩＳＭバンドのほかに、３ＧＰＰバンド４０の範囲は2300-2400MHz、バンド７Ｌの幅は2500-2570MHz、共に、２．４ＧＨｚＩＳＭ無線周波数バンドに非常に接近する。
【００２０】
図６の下の表６２は、一般の減衰フィルター下で、３ＧＰＰバンド４０中、ＷｉＦｉからＬＴＥに影響する共存干渉を示す。表６２は、特定の周波数チャネル(たとえば、表６２の各列)のＬＴＥトランシーバの感度抑圧（desensitization）値をリストし、ＬＴＥトランシーバは、別の特定の周波数チャネル(たとえば、表６２の各行)で操作する共同設置されたＷｉＦｉトランシーバにより妨げられる。表６２中の感度抑圧値は、ＬＴＥ受信信号感度が、どのくらい上昇する必要があり、共同設置されたＷｉＦｉトランシーバからの干渉がないような同じ信号品質(たとえば、ＳＮＲ／ＳＩＮＲ)に到達することを示す。たとえば、ＬＴＥトランシーバが2310MHzで操作し、ＷｉＦｉトランシーバが2412MHzで操作する場合、ＬＴＥは、2.5dBに上昇する必要がある信号を受信し、あらゆる共存干渉をオフセットする。一方、ＬＴＥトランシーバが2390MHzで操作し、ＷｉＦｉトランシーバが2412MHzで操作する場合、ＬＴＥは、66dBに上昇する必要がある信号を受信して、あらゆる共存干渉をオフセットする。これにより、追加の干渉回避メカニズムなしに、従来のフィルタリングソリューションは共存干渉を軽減するには不足で、よって、異なる無線アクセス技術は、同じデバイスプラットフォームで独立して有効に機能する。
【００２１】
共存干渉を回避する異なるソリューションが求められる。本発明によると、異なる干渉回避ソリューション中、周波数分割多重化(ＦＤＭ)、時分割多重化(ＴＤＭ)および電源管理は、３個の主なソリューションが提供される。さらに、中央制御エンティティが用いられて、共同設置された送受信機を協調して、各種干渉回避ソリューションを促進する。各種干渉回避ソリューションの詳細な実施例と具体例は、図面と共に説明する。
【００２２】
図７は、３ＧＰＰ共存干渉回避のＦＤＭソリューションの第一例を示す図である。図７の例において、ＬＴＥトランシーバは、ＷｉＦｉ／ＢＴトランシーバと共同設置される。周波数ドメインで、ＷｉＦｉ／ＢＴトランシーバ(たとえば、ＷｉＦｉ／ＢＴ ＴＸ信号７１)による伝送(ＴＸ)信号は、ＬＴＥトランシーバ(たとえば、ＬＴＥ ＲＸ信号７２)の受信(ＲＸ)信号と非常に接近する。その結果、ＷｉＦｉ／ＢＴトランシーバによる帯域外(ＯＯＢ)発射およびスプリアス発射は、不完全なＴＸフィルターおよびＲＦ設計により生じるＬＴＥトランシーバに受け入れられない。たとえば、ＷｉＦｉ／ＢＴ ＴＸ信号電力レベルは、追加の干渉回避メカニズムなしの状況下で、フィルタリング後(たとえば、５０ｄＢ圧縮)でも、ＬＴＥ ＲＸ信号電力レベルより(たとえば、フィルタリング前60dB)高い。図７に示されるように、１個の可能なＦＤＭソリューションは、ハンドオーバ工程を使用することにより、ＬＴＥ ＲＸ信号７２をＩＳＭバンドから離す。
【００２３】
ＬＴＥシステムにおいて、ハンドオーバ工程を含む大部分の活動はネットワークにより制御される。これにより、ＬＴＥネットワーク-制御のＵＥ補助ＦＤＭソリューションの初期化段階で、ＵＥは指示をネットワークに伝送して、共存干渉により生じる問題を報告するかまたは実行されるある動作(たとえば、ハンドオーバ)を推薦する。たとえば、サービング周波数上に、進行中の干渉があるとき、ＬＴＥダウンリンク(ＤＬ)またはＩＳＭ ＤＬ受信上で、ＵＥにより解決できない問題がある時、および、ｅＮＢが、ＲＲＭ測定に基づいていかなる動作も採取していない時があると、ＵＥは指示を伝送する。予め定義された基準またはｅＮＢによる配置に基づくと、指示のトリガーは、受け入れられない干渉がサービング周波数にあるか、または、進行中または潜在的な干渉が別の非サービング周波数にあるかに基づいてもよい。
【００２４】
３ＧＰＰＦＤＭソリューションをサポートするため、装置調整能力が必要である。ＬＴＥ観点から、ＬＴＥトランシーバはまず、(たとえば、内部制御装置により)別の装置内送受信機が、制限された時間遅延内で、送受信するか知る必要がある。さらに特に、ＬＴＥトランシーバは、ＬＴＥトランシーバが、ＷｉＦｉ／ＢＴ伝送のために生じる共存干渉を測定できる時の時間分、ＬＴＥが、共存干渉なしに、ＷｉＦｉ／ＢＴトランシーバから受信できる時の時間分を知る必要がある。既知の条件に基づいて、ＬＴＥトランシーバは共存干渉を測定して、ＬＴＥ ＲＸのどの周波数が著しく干渉されるかを評価する(たとえば、使用できない周波数)。その後、ＬＴＥトランシーバは、使用できない周波数をｅＮＢに指示して、ＦＤＭをトリガーする。ＷｉＦｉ／ＢＴ／ＧＮＳＳの観点から、ＬＴＥトランシーバは、周波数中のＬＴＥ伝送が、受け入れられないパフォーマンスを別のＷｉＦｉ／ＢＴ／ＧＮＳＳ装置内レシーバに発生したかも知る必要がある。一旦、ＬＴＥトランシーバが、明らかな共存干渉がＦＤＭソリューションをトリガーすることを決定すると、ＵＥは、指示をｅＮＢに伝送して、現在のサービング周波数から、別の周波数にハンドオーバすることを要求し、別の周波数は、ＷｉＦｉ／ＢＴ／ＧＮＳＳ信号からさらに離れている。
【００２５】
図８は、３ＧＰＰ共存干渉回避のＦＤＭソリューションの第二例を示す図である。図７と同様、不完全なＴＸフィルターおよびＲＦ設計により、ＷｉＦｉ／ＢＴトランシーバによる帯域外の(ＯＯＢ)発射およびスプリアス発射は、ＬＴＥトランシーバに受け入れられない。図８に示されるように、ＦＤＭソリューションは、ＬＴＥ受信信号(たとえば、ＬＴＥ ＲＸ信号８２)から、ＩＳＭ信号(たとえば、ＷｉＦｉ／ＢＴ ＴＸ信号８１)を離す。一例中、ＷｉＦｉトランシーバは、ＬＴＥバンドから離れた新しいＷｉＦｉチャネルに切り換える指示、または、どのＷｉＦｉチャネルが用いられるかの提案を受信する。別の例において、ブルートゥース送受信機は指示を受信して、その周波数ホッピング幅を調整する。
【００２６】
図９は、３ＧＰＰ共存干渉回避のＴＤＭソリューションの例を示す図である。ＴＤＭソリューションの基本原理は、ＷｉＦｉ／ＢＴ ＴＸおよびＬＴＥ ＲＸ間の時間重複を減少させて、共存干渉を回避する。ＤＲＸベースのＴＤＭソリューションにおいて、ＵＥは、ＤＲＸ配置パラメータをそのサービングｅＮＢに推薦する。ＦＤＭソリューションと同様、装置調整能力は、３ＧＰＰ ＤＲＸベースのＴＤＭソリューションのサポートが要求される。たとえば、制御エンティティが用いられて、推薦されたＤＲＸ ＯＮ／ＯＦＦ配置をｅＮＢに導く。制御エンティティは、共同設置されたＷｉＦｉ／ＢＴトランシーバから、操作タイプ(たとえば、ＷｉＦｉ ＡＰ、ＢＴマスター)、交通状態(たとえば、ＴＲまたはＲＸ)および特徴(たとえば、活動のレベル、トラフィックパターン)および優先デマンドを含む情報を受信し、ＤＲＸ ＯＮ／ＯＦＦ期間、ＤＲＸ ＯＮ／ＯＦＦ比、デューティサイクルおよび開始時間を決定する。
【００２７】
ＨＡＲＱ指定ベースのＴＤＭソリューションにおいて、ＵＥは、ビットマップまたはある支援情報を推薦して、そのｅＮＢがサブフレームレベルスケジューリング制御を実行して、干渉回避するのを補助する。共同設置された無線送受信機のスケジューリング伝送及び受信時間スロットのスケジューリングの各種方法が既に提案されている。たとえば、ＢＴ装置(たとえば、RF#1)は、まず、その通信時間スロットと共同設置されたセル無線モジュール(たとえば、RF#2)を同期化し、共同設置されたセル無線モジュールのトラフィックパターン(たとえば、BT eSCO)を得る。トラフィックパターンに基づいて、ＢＴ装置は、選択的に、ひとつ以上のＴＲまたはＲＸ時間スロットを飛ばして、ある時間スロットで、データ送受信を回避し、これにより、共同設置されたセル無線モジュールと干渉を減少させる。飛ばされた時間スロットは、ＴＲまたはＲＸ操作に対し無効になり、干渉を防止して、さらなるエネルギー節約を達成する。多重無線共存の別の詳細は、２０１０年１０月にKo等により出願された「System and Methods for Enhancing Coexistence efficiency for multi-radio terminals」と題された米国特許申請番号１２／９２５４７５号を参照する(この申請の標的はここで合併して参照する)。
【００２８】
ＤＲＸおよびＨＡＲＱベースのＴＤＭソリューションに加え、ＵＥの自主的な拒絶は、干渉回避のＴＤＭソリューションの別のタイプである。一例において、ＬＴＥトランシーバはＵＬ ＴＸを停止して、ＩＳＭまたはＧＮＳＳ ＤＬ ＲＸを保護する。これは、不定期で、短期イベント(short-term events)にだけ発生し、そうでなければ、ＬＴＥ接続パフォーマンスに影響を与える。別の例において、ＷｉＦｉまたはＢＴトランシーバは、ＵＬ ＴＸを停止して、ＬＴＥ ＤＬ ＲＸを保護する。これは、重要なＬＴＥ ＤＬ信号、たとえば、ページングを保護するのに必要である。ＵＥの自主的な拒絶ソリューションは、装置調整能力も必要とする(たとえば、内部制御装置による)。ＬＴＥトランシーバは、ＷｉＦｉ／ＢＴ／ＧＮＳＳレシーバからの優先ＲＸ要求、および、どのくらいでＬＴＥ ＵＬ ＴＸを終了するかを知る必要がある。ＬＴＥトランシーバは、それ自身のＲＸ優先要求を内部制御装置に示し、ＷｉＦｉ／ＢＴ ＵＬ ＴＸを終了することができることを知る必要もある。このほか、このような指示は、即時方式で指示されるかまたは特定のパターンで指示される。
【００２９】
図１０は、３ＧＰＰ共存干渉回避の電力制御ソリューションの第一例を示す図である。図１０に示されるように、ＷｉＦｉ／ＢＴ ＴＸ信号１０１が、ＬＴＥ ＲＸ信号１０２に近い周波数チャネルで発生する時、ＷｉＦｉ／ＢＴトランシーバのＩＳＭ伝送電力が減少する。たとえば、ＬＴＥ受信信号品質に基づいて、内部制御装置は、指示をＷｉＦｉ／ＢＴトランシーバに伝送して、伝送電力レベルを調整する。
【００３０】
図１１は、３ＧＰＰ共存干渉回避の電力制御ソリューションの第二例を示す図である。図１０と同様、ＬＴＥ ＴＸ信号１１１が、ＷｉＦｉ／ＢＴ ＲＸ信号１１２に近い周波数チャネルで発生する時、ＬＴＥトランシーバの伝送電力が減少する。しかし、ＬＴＥシステムにおいて、従来のＬＴＥ電力制御メカニズムは共存のために分割できない。これにより、直接、ＬＴＥ ＴＸ電力を減少するのではなく、さらに受け入れることができるソリューションは、電力ヘッドルームマージン(power headroom margin)を調整する。たとえば、ＷｉＦｉ／ＢＴ／ＧＮＳＳ受信信号品質に基づいて、内部制御装置は、新しい最大伝送電力制限レベルを評価する。その後、新しい最大伝送電力制限レベルが、ＬＴＥトランシーバによりそのｅＮＢに推薦される。
【００３１】
装置調整能力は、共存干渉回避の各種ソリューションをサポートすることが要求されるので、よって、本発明は、中央制御エンティティをワイヤレス装置中で実施して、共同設置された無線送受信機を協調することを提案する。図４または図５に戻ると、中央制御エンティティ(たとえば、図４中の４４または図５中の５５)は全共同設置された装置内無線送受信機と通信し、共存干渉回避決定をする。中央制御エンティティは、どの送受信機が接続されるかを検出し、その後、対応する共存干渉協調を可能にする。特定のトランシーバ／レシーバが中央制御エンティティと接続されない場合、中央制御エンティティが、別のトランシーバに指示して、パッシブ干渉回避を実行すると仮定する(たとえば、ＢＴがホッピング幅を減少)。
【００３２】
図１２は、無線通信システムにおける装置内中央制御エンティティを用いた共存干渉回避の詳細な工程を示す図である。無線通信システムはＵＥを含み、ＵＥは、中央制御エンティティおよび各種共同設置された無線送受信機を有し、各種共同設置された無線送受信機は、ＬＴＥ、ＷｉＦｉ、ＢＴトランシーバおよびＧＮＳＳレシーバを含む。各種干渉回避ソリューションを促進するため、中央制御エンティティは、まず、共同設置された送受信機から情報を収集する必要があり、これにより、制御情報を決定及び伝送して、共同設置された送受信機を協調する(段階１２１)。たとえば、中央制御エンティティは、第一送受信機(たとえば、工程１５１中のＬＴＥ)から信号／トラフィック／スケジューリング情報を受信し、対応する制御情報を第二送受信機(たとえば、工程１５２中のＷｉＦｉ／ＢＴ／ＧＮＳＳ)に伝送する。同様に、中央制御エンティティは、第二送受信機(たとえば、工程１５３中のＷｉＦｉ／ＢＴ／ＧＮＳＳ)から、信号／トラフィック／スケジューリング情報を受信し、対応する制御情報を第一送受信機(たとえば、工程１５４中のＬＴＥ)に伝送する。その後、送受信機は、受信された制御情報に基づいて、ある動作を実行して、ＦＤＭ／ＴＤＭ／電力制御ソリューションをトリガーする。
【００３３】
ＦＤＭソリューション(段階１２２)下で、中央制御エンティティは、無線信号情報を受信して、制御情報を決定して、ＦＤＭソリューションをトリガーする。ＦＤＭソリューションに関連する無線信号情報は以下を含む: 伝送状態(たとえば、ＯＮまたはＯＦＦ、ＴＸモードまたはＲＸモード)、共存干渉のレベル、受信された信号品質または強度(たとえば、ＲＳＲＰ、ＲＳＲＱ、ＬＴＥのＣＱＩレベル)、ＬＴＥのサービング周波数、ＷｉＦｉ周波数チャネル情報、ＢＴ周波数ホッピング幅情報およびＧＮＳＳ信号の中心周波数。無線信号情報に基づいて、中央制御エンティティは、測定された共存干渉が、ＦＤＭソリューション(たとえば、ＬＴＥの工程１６１およびＷｉＦｉ／ＢＴ／ＧＮＳＳの工程１６２)をトリガーするか決定する。ＦＤＭソリューションがトリガーされる場合、中央制御エンティティは、以下の制御情報を伝送する:ＬＴＥトランシーバをトリガーし、共存干渉によるダウンリンク受信問題で、ＬＴＥｅＮＢに指示する指示、ＬＴＥトランシーバをトリガーして、どの周波数が、共存のために著しく干渉されるか(たとえば、使用可能または使用できない周波数)をＬＴＥｅＮＢに伝送する指示、ＬＴＥトランシーバをトリガーして、指示をハンドオーバ操作(たとえば、工程１６３)のＬＴＥｅＮＢに伝送する指示、ＷｉＦｉトランシーバをトリガーして、新しいＷｉＦｉチャネルに切り換える指示、ＷｉＦｉトランシーバが特定のＷｉＦｉチャネルを用いる提案、ＢＴトランシーバがＢＴ周波数ホッピング幅を調整する指示(たとえば、工程１６４)。
【００３４】
ＬＴＥシステムにおいて、効果的に共存干渉を軽減するために、ＬＴＥトランシーバは、いつ共存干渉を測定するか、および、いつ共存問題をｅＮＢ報告するかを知る必要がある。中央制御エンティティの重要なひとつの作用は、ＷｉＦｉ／ＢＴトランシーバが制限された時間遅延内で伝送または受信するかの情報を収集することである。その後、制御エンティティは、ＬＴＥレシーバが共存干渉を測定できる時間分、および、共存干渉がない状況下で受信できる時間分を決定する。共存問題を報告する、および、ＦＤＭソリューションを適用するトリガー条件はネットワークにより配置される。さらに、注意すべきことは、ＦＤＭソリューションの最終決定、たとえば、ハンドオーバ後のサービング周波数等は、制御情報に基づいてトリガーされるが、ＬＴＥシステム中のｅＮＢ(ＵＥではない)により決定されてもよい。
【００３５】
ＴＤＭソリューション(段階１２３)下で、中央制御エンティティは、トラフィックおよびスケジューリング情報を受信して、制御情報を決定し、ＴＤＭソリューションをトリガーする。ＴＤＭソリューションに関連するトラフィックおよびスケジューリング情報は以下を含む: 伝送状態(たとえば、ＯＮまたはＯＦＦ、ＴＸモードまたはＲＸモード)、共存干渉のレベル、受信された信号品質または強度(たとえば、ＲＳＲＰ、ＲＳＲＱ、ＬＴＥのＣＱＩレベル)、ＴＸまたはＲＸ要求の優先(たとえば、ＴＲまたはＲＸ重要信号)、操作モード(たとえば、ＷｉＦｉＡＰモード、ＷｉＦｉＳＴＡモード、ＢＴｅＳＣＯ、ＢＴＡ２ＤＰ、初期衛星信号獲得、ＧＮＳＳトラッキングモード)、ＷｉＦｉビーコン受信時間情報、ＬＴＥ ＤＲＸ配置、ＬＴＥ接続モード(たとえば、RRC_CONNECTEDまたはRRC_IDLE)、ＬＴＥ二重モード(たとえば、ＴＤＤまたはＦＤＤ)、ＬＴＥキャリアアグリゲーション(ＣＡ)配置、ＢＴマスターまたはスレーブ、トラフィックパターン情報(たとえば、ＢＴ周期、必要なＴＸ／ＲＸスロット番号)およびＧＮＳＳレシーバタイプ(たとえば、ＧＰＳ、ＧＬＯＮＡＳＳ、Ｇａｌｉｌｅｏ、Ｂｅｉｄｏｕまたはデュアルレシーバ)。
【００３６】
トラフィックおよびスケジューリング情報に基づいて、中央制御エンティティは、指示をＬＴＥトランシーバ中のローカル制御エンティティに伝送し、以下の制御情報の一部と共に、ＴＤＭをトリガーする: ＤＲＸ配置をＬＴＥｅＮＢに推薦するＬＴＥトランシーバのＯＮ／ＯＦＦ期間または比例またはデューティサイクル情報(たとえば、工程１７１)、ＬＴＥ干渉回避のトリガーに適する開始時間、ＬＴＥトランシーバが信号伝送を終了すべき時間分(たとえば、工程１７２)、ある時間遅延で、ＬＴＥ ＵＬ伝送を終了する指示、特定の時間分で、ＷｉＦｉ／ＢＴ伝送を終了する指示(たとえば、工程１７３)、ＷｉＦｉ／ＢＴ／ＧＮＳＳが、ＬＴＥ共存干渉がない状況下で信号を受信できる特定の時間分の情報、ある時間遅延内で、ＷｉＦｉ／ＢＴ伝送を終了する指示、ＷｉＦｉ／ＢＴ伝送をレジュームする指示、および、電力サービングプロトコルにより、データ伝送および／または受信時間で、遠隔ＷｉＦｉＡＰと協議する指示(たとえば、工程１７４)、ＢＴ共存ＴＸ／ＲＸ ＯＮ／ＯＦＦパターンを切り換える指示、および、ＧＮＳＳ信号受信が、ＬＴＥから共存干渉を受ける特定の時間分の情報。
【００３７】
電力制御ソリューション(段階１２４)下で、中央制御エンティティは無線信号および電力情報を受信し、制御情報を決定し、電力制御ソリューションをトリガーする。電力制御ソリューションの無線信号および電力情報は、主に、ＬＴＥ／ＷｉＦｉ／ＢＴ／ＧＮＳＳ、ＷｉＦｉ／ＢＴの伝送電力情報およびＬＴＥの現在の最大伝送電力レベルにより測定される受信された信号品質を含む。ＬＴＥ電力制御において、中央制御エンティティはＷｉＦｉ／ＢＴ／ＧＮＳＳの受信された信号品質に基づき、どのくらいの干渉をさらに受けるかを推定する。中央制御エンティティは、さらに、現在の最大ＬＴＥ伝送電力レベルに基づいて、ＷｉＦｉ／ＢＴ／ＧＮＳＳにより与えられる最大ＬＴＥ伝送電力レベルを推定して、最低受信信号品質を達成する(工程１８１)。一方、ＷｉＦｉ／ＢＴ電力制御において、ＬＴＥ信号の受信された信号品質が悪い場合、中央制御エンティティは、簡単に、ＷｉＦｉ／ＢＴトランシーバに、伝送電力レベルを調整することを指導する(工程１８２)。
【００３８】
注意すべきことは、ＦＤＭ、ＴＤＭおよび電力制御ソリューションのリストされた情報は例であり、相互排他的ではない。その代わりに、追加情報は、あらゆるソリューションに応用でき、同じ情報は複数のソリューションに応用できる。たとえば、操作タイプ情報またはトラフィックパターン情報は、主にＴＤＭソリューションに用いられるが、ＦＤＭソリューションに用いて、可能なハンドオーバ工程をトリガーするかを決定することができる。さらに、異なるソリューションが一緒に適用されて、共存干渉を軽減する。
【００３９】
さらに注意すべきことは、上述のソリューションの目的は、共存干渉を防止および減少させることであるが、各種ＦＤＭ／ＴＤＭ／電力制御ソリューション応用後、共存干渉が必ずしも防止および減少するわけではない。たとえば、ある地理的領域で、ＬＴＥネットワークは悪い周波数上でだけ展開され、一旦、ＵＥが地理的領域に移動すると、ＬＴＥ装置は、常に、悪い共存干渉を有する周波数にハンドオーバされる。
【００４０】
図１３は、ＦＤＭソリューションを用いた共存干渉回避の方法のフローチャートである。ワイヤレス装置は、多重無線送受信機および中央制御エンティティを含む。中央制御エンティティは、第一ＬＴＥトランシーバに属する第一制御エンティティから第一無線信号情報を受信する(工程１３１)。中央制御エンティティは、第二無線送受信機に属する第二制御エンティティから第二無線信号情報も受信し、第二無線送受信機と第一ＬＴＥトランシーバは共同設置される(工程１３２)。第一および第二無線信号情報に基づいて、中央制御エンティティは制御情報を決定し、制御情報を第一および第二制御エンティティに伝送する(工程１３３)。少なくとも一部が制御情報に基づき、第一および第二送受信機は指定された周波数チャネルで操作し、これにより、共存干渉を軽減する。
【００４１】
図１４は、ＴＤＭソリューションを用いた共存干渉回避の方法のフローチャートである。ワイヤレス装置は、多重無線送受信機および中央制御エンティティを含む。中央制御エンティティは、第一ＬＴＥトランシーバに属する第一制御エンティティから、第一トラフィックおよびスケジューリング情報を受信する(工程１３１)。中央制御エンティティは、第二無線送受信機に属する第二制御エンティティから、第二トラフィックおよびスケジューリング情報も受信し、第二無線送受信機と第一ＬＴＥトランシーバは共同設置される(工程１３２)。第一および第二トラフィックおよびスケジューリング情報に基づいて、中央制御エンティティは制御情報を決定し、制御情報を第一および第二制御エンティティに伝送する(工程１３３)。少なくとも一部が制御情報に基づいて、第一および第二送受信機がスケジューリングされて、特定の時間分で無線信号を送受信し、これにより、共存干渉を軽減する。
【００４２】
本発明では好ましい実施例を前述の通り開示したが、これらは決して本発明に限定するものではない。たとえば、ＬＴＥアドバンスド移動通信システムにより本発明を説明しているが、同様に、本発明は、その他の移動通信システム、たとえば、ティーディーエスシーディーエムエー(ＴＤ-ＳＣＤＭＡ)システムに応用することもできる。したがって、様々な変更、適合、および説明した実施形態の様々な特徴の組み合わせは、特許請求の範囲に記載されている本発明の範囲から逸脱することなく実施することができる。
【図１】
2013535139.tif 000003
【図２】
2013535139.tif 000004
【図３】
2013535139.tif 000005
【図４】
2013535139.tif 000006
【図５】
2013535139.tif 000007
【図６】
2013535139.tif 000008
【図７】
2013535139.tif 000009
【図８】
2013535139.tif 000010
【図９】
2013535139.tif 000011
【図１０】
2013535139.tif 000012
【図１１】
2013535139.tif 000013
【図１２】
2013535139.tif 000014
【図１３】
2013535139.tif 000015
【図１４】
2013535139.tif 000016
【手続補正書】
【提出日】平成24年12月12日(2012.12.12)
【手続補正１】
【補正対象書類名】明細書
【補正対象項目名】００４１
【補正方法】変更
【補正の内容】
【００４１】
図１４は、ＴＤＭソリューションを用いた共存干渉回避の方法のフローチャートである。ワイヤレス装置は、多重無線送受信機および中央制御エンティティを含む。中央制御エンティティは、第一ＬＴＥトランシーバに属する第一制御エンティティから、第一トラフィックおよびスケジューリング情報を受信する(工程１４１)。中央制御エンティティは、第二無線送受信機に属する第二制御エンティティから、第二トラフィックおよびスケジューリング情報も受信し、第二無線送受信機と第一ＬＴＥトランシーバは共同設置される(工程１４２)。第一および第二トラフィックおよびスケジューリング情報に基づいて、中央制御エンティティは制御情報を決定し、制御情報を第一および第二制御エンティティに伝送する(工程１４３)。少なくとも一部が制御情報に基づいて、第一および第二送受信機がスケジューリングされて、特定の時間分で無線信号を送受信し、これにより、共存干渉を軽減する。
【国際調査報告】
2013535139.tif 000017
2013535139.tif 000018